(57)【要約】【課題】メンテナンス性に優れた薬剤包装装置を提供する。【解決手段】装置本体１に、薬剤を供給する薬剤供給部２，３と、該薬剤供給部２，３から供給された薬剤を包装する包装ユニット７を備えた構成とする。前記装置本体１に、前記包装ユニット７を引き出し可能に支持するスライド支持部２２を形成する。スライド支持部２２に、装置本体１から引き出した包装ユニット７を旋回可能に支持する旋回支持部２８を形成する。【選択図】  図１
2004284656.tif 000002
【特許請求の範囲】
【請求項１】
装置本体に、薬剤を供給する薬剤供給部と、該薬剤供給部から供給された薬剤を包装する包装ユニットを備えた薬剤包装装置において、
前記装置本体に、前記包装ユニットを引き出し可能に支持するスライド支持部を形成し、該スライド支持部に、装置本体から引き出した包装ユニットを旋回可能に支持する旋回支持部を形成したことを特徴とする薬剤包装装置。
【請求項２】
前記包装ユニットは、下部に、引き出し及び旋回動作時に支持される回転自在なローラを備えたことを特徴とする請求項１に記載の薬剤包装装置。
【請求項３】
前記ローラは、前記装置本体内に格納可能な構成であることを特徴とする請求項２に記載の薬剤包装装置。
【請求項４】
前記包装ユニットは、前記装置本体の前面を構成するパネルを備え、該パネルは開閉可能であることを特徴とする請求項１乃至３のいずれか１項に記載の薬剤包装装置。
【請求項５】
前記スライド支持部は、包装ユニットの両側を支持する一対で構成され、一方のスライド支持部は、装置本体から包装ユニットを所定寸法引き出すことにより、包装ユニットの支持状態を解除可能としたことを特徴とする請求項１乃至４のいずれか１項に記載の薬剤包装装置。
【発明の詳細な説明】
【０００１】
【発明の属する技術分野】
本発明は、薬剤包装装置に関するものである。
【０００２】
【従来の技術】
従来、薬剤包装装置として、装置本体の前方にコンベア装置を引き出し可能に設けたものがある（例えば、特許文献１参照）。
【０００３】
【特許文献１】
特開平１１−１２４１１６号公報
【０００４】
【発明が解決しようとする課題】
しかしながら、前記薬剤包装装置では、コンベア装置を引き出すだけの構成であり、薬剤を包装する包装ユニットにはこの構成は採用されていない。コンベア装置と同様に包装ユニットを引き出し可能な構成としただけでは、内部で紙詰まり等が発生した場合等には十分に対処することができない。つまり、メンテナンスが非常にしずらいという問題がある。
【０００５】
そこで、本発明は、メンテナンス性に優れた薬剤包装装置を提供することを課題とする。
【０００６】
【課題を解決するための手段】
本発明は、前記課題を解決するための手段として、装置本体に、薬剤を供給する薬剤供給部と、該薬剤供給部から供給された薬剤を包装する包装ユニットを備えた薬剤包装装置において、
前記装置本体に、前記包装ユニットを引き出し可能に支持するスライド支持部を形成し、該スライド支持部に、装置本体から引き出した包装ユニットを旋回可能に支持する旋回支持部を形成したものである。
【０００７】
この構成により、包装ユニットの裏側をもメンテナンスしやすい状態とすることができる。また、包装ユニットを引き出した装置本体側でのメンテナンスをも容易に行うことが可能となる。
【０００８】
前記包装ユニットは、下部に、引き出し及び旋回動作時に支持される回転自在なローラを備えると、重量の大きな包装ユニットをスムーズに引き出し、かつ、旋回させることが可能となる点で好ましい。
【０００９】
前記ローラは、前記装置本体内に格納可能な構成とすると、メンテナンス時以外では、外観に優れたものとすることが可能となる点で好ましい。
【００１０】
前記包装ユニットは、前記装置本体の前面を構成するパネルを備え、該パネルは開閉可能とすると、メンテナンスの容易な前面側であれば、そのまま、あるいは、包装ユニットを引き出した後、パネルを開放するだけでよく、メンテナンスの作業性を向上させることが可能となる点で好ましい。
【００１１】
前記スライド支持部は、包装ユニットの両側を支持する一対で構成され、一方のスライド支持部は、装置本体から包装ユニットを所定寸法引き出すことにより、包装ユニットの支持状態を解除可能とすると、包装ユニットの支持状態を安定させることが可能となる点で好ましい。
【００１２】
【発明の実施の形態】
以下、本発明に係る実施形態を添付図面に従って説明する。
【００１３】
図１及び図２は、本実施形態に係る薬剤包装装置を示す。この薬剤包装装置は、装置本体１の上方側に、錠剤供給部２と散薬供給部３とを備えている。これらは、装置本体１の上面を構成する上面パネル４によって一部を露出させた状態で覆われている。上面パネル４にはモニター５が設けられている。また、薬剤包装装置は、装置本体１の下方側に形成される収容室６内に、包装ユニット７とコンベアユニット８とを備えている。
【００１４】
錠剤供給部２は、格子状に形成された各ボックス９内に、予め、１包分の錠剤を手撒きにより収容し、順次、各ボックス９の底板を開放することにより、包装ユニット７で包装できるようにしたものである。
【００１５】
散薬供給部３は、散薬を供給ホッパー１０から図示しない分配皿の環状溝へと収容し、図示しない掻出部材によって１包分ずつ掻き出して包装ユニット７で包装できるようにしたものである。
【００１６】
モニター５は、図５及び図６に示すように、背面の支持板１１を上面パネル４に設けた受板１２に支軸１１ａを中心として回動自在に支持されている。支軸にはギア１３が一体化され、このギア１３にはロックバー１４から延びるロックピン１５が噛合している。ロックバー１４は、鍔状のスプリング受部１６を備え、支持板１１に設けたガイド片１７に摺動自在に貫通している。ロックバー１４の外周部にはスプリング１８が配設されている。スプリング１８は、スプリング受部１６とガイド片１７との間に位置し、ロックバー１４を下方側へと付勢している。これにより、通常の状態では、ロックピン１５がギア１３に噛合し、モニター５の回動位置が規制される。錠剤供給装置の配置場所によっては、モニター５が他の部分、主に壁と干渉するため、上面パネル４を開放できないことがある。この場合、ロックバー１４の上端部（把持部）を把持し、引っ張ることによりロックピン１５をギア１３との噛合状態から開放し、モニター５を図５（ｂ）に示す位置まで回動させればよい。
【００１７】
包装ユニット７は、ロール１９に巻回した包装紙２０を巻き戻して２つ折りにし、あるいは、ロール１９に予め２つ折りにして巻回した包装紙２０を巻き戻し、長手方向に所定間隔でシールし、形成された袋部に、前記錠剤供給部２又は前記散薬供給部３から供給される薬剤を回収ホッパー２１を介して回収し、残る１辺をシールするようにしたものである。包装ユニット７は、スライド支持部２２に回動可能に支持されている。
【００１８】
スライド支持部２２は、図３に示すように、収容室６の内側面に固定されるスライドガイド２３と、このスライドガイド２３にスライド自在に支持される第１スライドレール２４ａと、この第１スライドレール２４ａにスライド自在に支持される第２スライドレール２４ｂとを備えている。スライドガイド２３は一端部にセンサ基板２５を設けられている。第２スライドレール２４ｂは、一端部にセンサブロック２６を設けられている。センサ基板２５に実装したセンサによりセンサブロック２６が検出されることにより、装置本体１の収容室６に包装ユニット７が収容されたことが判別される。また、スライドガイド２３と第２スライドレール２４ｂとの間にはプラチェーン２７が設けられ、このプラチェーン２７にガイドされた電線等（図示せず）により、包装ユニット側との信号の送受信や駆動部材への電力の供給が可能となっている。一方、第２スライドレール２４ｂの他端部には旋回支持部２８が設けられている。
【００１９】
旋回支持部２８は、支軸２８ａを中心として回動自在に連結した一対の連結片２９ａ，２９ｂからなるヒンジ構造となっている。一方の連結片２９ａは第２スライドレール２４ｂの端部に固定され、他方の連結片２９ｂは包装ユニット７が取り付けられる支持プレート３０に固定されている。これにより、支持プレート３０は第２スライドレール２４ｂに旋回可能に支持される。
【００２０】
支持プレート３０は、包装ユニット７とは反対側の面（前面）をカバー３１によって覆われている。カバー３１には観音開きのドア３２が設けられている。
【００２１】
包装ユニット７及び支持プレート３０は、一端側をスライド支持部２２によって支持されるほか、他端側を脚部３３の先端に転動自在に設けたローラ３４（例えば、キャスター）によって支持されている。脚部３３は、包装ユニット７に設けた取付板３５に取り付けられている。脚部３３は、包装ユニット７を収容室６に収容した状態で、図４（ａ）に示すように、その底面に形成した切欠部３６に位置することにより、装置本体１からのはみ出しを防止されている。
【００２２】
なお、脚部３３及びローラ３４の装置本体１からのはみ出しを防止するため、ほかに、図４（ｂ）や図４（ｃ）に示す構成を採用することも可能である。図４（ｂ）では、脚部３３が伸縮可能な構成となっており、包装ユニット７を装置本体１の収容室６内に収容した際、収容室６の底面をローラ３４が転動するように脚部３３が収縮する。図４（ｃ）では、脚部３３が回動可能な構成となっており、包装ユニット７を装置本体１の収容室６内に収容した際、脚部３３が回動し、ローラ３４が収容室６の底面を転動する。
【００２３】
次に、前記薬剤包装装置の動作について説明する。ここでは、包装ユニット７内で紙詰まりが発生する等が原因で、メンテナンスを行う場合についてのみ言及する。
【００２４】
メンテナンスでは、前面のドア３２を開放し、その状況を把握する。ドア３２の開放のみでメンテナンスできるのであれば、その状態で作業を行う。
【００２５】
ドア３２の開放のみではメンテナンスできないのであれば、装置本体１から包装ユニット７を引き出す。包装ユニット７は、ガイドレールがスライドガイド２３を摺動し、ローラ３４が装置本体１の載置面を転動することにより、装置本体１の前面に対して平行に引き出される。続いて、包装ユニット７を、旋回支持部２８の支軸を中心として旋回させ、図１に示す状態とする。これにより、包装ユニット７を装置本体１の前方側で、その側面に沿って位置させることができる。したがって、包装ユニット７を内側からメンテナンスでき、作業性を大幅に向上させることが可能となる。また、装置本体１では、包装ユニット７を引き出して旋回させることにより、収容室６が開放され、コンベアユニット８が露出する。したがって、収容室６内の清掃やコンベアユニット８のメンテナンスも容易に行うことが可能である。
【００２６】
なお、前記実施形態では、包装ユニット７をスライド支持部２２で一端側のみを支持するように構成したが、２箇所にスライド支持部２２を設けて両端側でガイドする構成としてもよい。すなわち、一端側のスライド支持部２２は前記実施形態と同様な構成とし、他端側のスライド支持部２２をスライドガイド２３と第１及び第２スライドレール２４ａ及び２４ｂとで構成する。そして、スライドレール２４が収容室６から所定寸法突出した時点で、包装ユニット７と第２スライドレール２４ｂとの連結が解除されるように構成することにより、包装ユニット７を回動可能とすればよい。
【００２７】
【発明の効果】
以上の説明から明らかなように、本発明によれば、装置本体から包装ユニットを引き出し及び旋回可能としたので、メンテナンス性を大幅に向上させることができる。
【図面の簡単な説明】
【図１】本実施形態に係る薬剤包装装置の包装ユニットを引き出して旋回した状態を示す全体斜視図である。
【図２】図１の平面図である。
【図３】図２の部分拡大図である。
【図４】図２の脚部とローラの変形例を示す部分概略図である。
【図５】図１の上面パネル及びモニターを示す側面図である。
【図６】図５の部分拡大図である。
【符号の説明】
１…装置本体
２…錠剤供給部
３…散薬供給部
４…上面パネル
５…モニター
６…収容室
７…包装ユニット
８…コンベアユニット
９…ボックス
１０…供給ホッパー
１１…支持板
１２…受板
１３…ギア
１４…ロックバー
１５…ロックピン
１６…スプリング受部
１７…ガイド片
１８…スプリング
１９…ロール
２０…包装紙
２１…回収ホッパー
２２…スライド支持部
２３…スライドガイド
２４ａ…第１スライドレール
２４ｂ…第２スライドレール
２５…センサ基板
２６…センサブロック
２７…プラチェーン
２８…旋回支持部
２９…連結片
３０…支持プレート
３１…カバー
３２…ドア
３３…脚部
３４…ローラ
３５…取付板
３６…切欠部
【図１】
2004284656.tif 000003
【図２】
2004284656.tif 000004
【図３】
2004284656.tif 000005
【図４】
2004284656.tif 000006
【図５】
2004284656.tif 000007
【図６】
2004284656.tif 000008